(57)【要約】【目的】円周に沿うような方向への刺激ではなく、これとは略直角方向へのリニアな刺激、すなわち腟などの内壁を押しながら擦るような指圧刺激を与えることが出来るような、マッサージ器を提供する。【構成】モータの回転軸に、回転運動をリニアな往復運動に変換する変換機が取り付けられ、この変換機の出力部分に指圧具が設けられた、スライド式指圧部を備えたマッサージ器である。【選択図】      図１
2004313689.tif 000002
【特許請求の範囲】
【請求項１】
モータの回転軸に、回転運動をリニアな往復運動に変換する変換機が取り付けられ、この変換機の出力部分に指圧具が設けられていることを特徴とする、スライド式指圧部を備えたマッサージ器。
【請求項２】
前記変換機が、モータの回転軸に傾斜して設けられた傾斜板と、この傾斜板の外縁部に噛合させた歯部とから成り、前記歯部に前記指圧具が設けられている、請求項１に記載のスライド式指圧部を備えたマッサージ器。
【請求項３】
前記指圧具の先端部に略円柱状体または略球状体が、指圧具の往復運動方向に回転するように設けられている、請求項１に記載のスライド式指圧部を備えたマッサージ器。
【請求項４】
前記指圧具に柔軟な素材から成るカバーが掛けられている、請求項１に記載のスライド式指圧部を備えたマッサージ器。
【請求項５】
このマッサージ器に柔軟な素材から成るカバーが掛けられている、請求項１に記載のスライド式指圧部を備えたマッサージ器。
【請求項６】
このマッサージ器にバイブレータが設けられている、請求項１に記載のスライド式指圧部を備えたマッサージ器。
【請求項７】
前記指圧具にバイブレータが設けられている、請求項１に記載のスライド式指圧部を備えたマッサージ器。
【発明の詳細な説明】
【０００１】
【発明の属する技術分野】
この発明は、今までにないリニアな往復運動による新感覚の指圧を行なうことが出来るスライド式指圧部を備え、特に腟のような器官に挿入してこれを内側から指圧する（擦る）ためのマッサージ器に関する。
【０００２】
【従来の技術】
従来より陰茎を模した形状の腟内に挿入するマッサージ器が用いられて来た。このものには単なる棒状のものや、内部にバイブレータを内蔵するものなど様々なタイプのものがある。この内、腟内に挿入する柔軟な素材から成る挿入部と、モータや電池やスイッチを納めたハンドル部とから成るものでは、前記モータの回転軸に延設された緩やかなカーブを有する回転杆が前記挿入部内にあり、前記モータの回転に伴なって首を振るような回転を行ない、これが挿入部にも首振り運動を生じさせる。
【０００３】
なお前記バイブレータは一般的に偏心重錘を有するモータによって構成されているものであり、このモータに電池とスイッチとが接続されている。またあるものでは更に前記モータの動きを細かく制御するためのコントローラが接続されている。
【０００４】
【発明が解決しようとする課題】
上述した単なる棒状のものでは挿入感しか与えることが出来ない。また内部にバイブレータを内蔵するものでは振動刺激しか与えることが出来ない。また上述の腟内に挿入する柔軟な素材から成る挿入部とモータや電池やスイッチを納めたハンドル部とから成るマッサージ器では、前記モータの回転方向への刺激を挿入部を通して腟内壁に伝えることが出来るのであるが、腟内壁に加えられる恰かも円周に沿うような方向のみの刺激だけでは単調なものになりやすく、マッサージの効果が限定的なものに成ってしまう。
【０００５】
そこでこの発明は、上述した円周に沿うような方向への刺激だけでなく、これとは略直角方向へのリニアな刺激、すなわち腟などの内壁を押しながら擦るような指圧刺激を与えることが出来るようなマッサージ器の提供を課題とする。
【０００６】
【課題を解決するための手段及び作用】
上記課題は、モータの回転軸に、回転運動をリニアな往復運動に変換する変換機が取り付けられ、この変換機の出力部分に指圧具が設けられている、スライド式指圧部を備えたマッサージ器とすることにより達成される。なお上述した柔軟な素材から成る挿入部とモータや電池やスイッチを納めたハンドル部とから成るマッサージ器にこの発明を適用する場合など、回転杆を備えたものではこの回転杆を変換機の入力部としてそのまま利用することができる。
【０００７】
前記モータの回転軸から出力される回転は円運動であるが、これを前記変換機に通すことによりリニアな往復運動を出力させることができる。従ってこの往復運動を利用するようにすれば押しながら擦るような指圧刺激を与えることが可能となる。腟などの内壁に直接的または間接的に触れる部位には指圧具が設けられており、効果的なマッサージ作用が得られるようにしている。
【０００８】
なお前記変換機の出力部分が、例えば円柱状体や球状体のような形状のものであれば、このような指圧部もまた指圧具であるものと考える。
【０００９】
次に前記変換機が、モータの回転軸に傾斜して設けられた傾斜板と、この傾斜板の外縁部に噛合させた歯部とから成り、前記歯部に前記指圧具が設けられているものとした。
【００１０】
前記モータを回転させると前記傾斜板も回転するが、この回転する周囲の一角から見れば前記傾斜板の外縁部が往復運動をしているように見える。これは傾斜板の外縁部のどの位置にでも見られる現象である。従ってこの傾斜板の外縁部に歯部を噛合させることにより、この歯部にリニアな往復運動を起こさせることができる。この歯部は前記指圧具の一部であるからこの指圧具がリニアな往復運動を行なうことに成り、この指圧具を腟などの内壁に当てることで、恰かも指先で押しながら擦るような指圧刺激を与えることができるのである。
【００１１】
次に前記指圧具の先端部に略円柱状体または略球状体が指圧具の往復運動方向に回転するように設けられているものとした。
【００１２】
腟などの内壁に直接的にまたは間接的に当たる指圧具が湾曲した形状のものであると、当たりがソフトになって心地良い。特にこのような形状の指圧具が回転すると、摩擦が極めて少なくなり当たりが益々ソフトなものになる。
【００１３】
次に、前記指圧具に柔軟な素材から成るカバーが掛けられているものとした。カバーにはゴム素材のもの、プラスチック素材のもの、布素材のものなどで柔軟なものが利用される。
【００１４】
腟などの内壁に当たる指圧具が前記カバーで覆われているため当たりがソフトなものと成り、効果的なマッサージ作用が得られる。或いは好みのカバーに交換し得るように、カバーを指圧具に対して着脱自在としてもよい。
【００１５】
次に、このマッサージ器に柔軟な素材から成るカバーが掛けられているものとした。上記同様、このようなカバーにはゴム素材のもの、プラスチック素材のもの、布素材のものなどで柔軟なものが任意に利用可能である。前述のような指圧具のみがカバーで覆われているものとは異なりこのマッサージ器の全体がカバーで覆われている。
【００１６】
このような構成であるため腟などの内壁に対してはこのカバーの裏側から指圧するように成る。従ってこのようなカバーを介しての当たりはソフトなものであり、やはり心地が良いものである。なお例えばマッサージ器が、腟内に挿入する柔軟な素材から成る挿入部と、モータや電池やスイッチを納めたハンドル部とから成り、前記モータの回転軸に延設された緩やかなカーブを有する回転杆が前記挿入部内にあり、前記モータの回転に伴なって首を振るような回転を行なう構成のものでは、挿入部を前記カバーとする構成が可能である。すなわちこのカバーは、前記回転杆と前記指圧具との双方を覆うものであり、前記回転杆の回転運動に伴なって前記カバー（挿入部）に首振り運動を生じて腟などの内壁をすりこぎのようにマッサージし、またこのカバーの内側でリニアな往復運動を行なう前記指圧具の作用が前記カバーを介して腟などの内壁をマッサージすることに成るのである。
【００１７】
次にこのマッサージ器にバイブレータが設けられているものとした。前記バイブレータとしては、偏心重錘を有するモータに電池とスイッチとが接続されているものなどを例に上げることができる。この場合モータの回転によって偏心重錘が回転するが、偏心重錘であるが故に振動を発生すると言うものである。
【００１８】
これによれば、バイブレーション（振動刺激）を加えつつ、この発明のリニアな往復運動によるマッサージ効果を与えることができ、相乗効果を上げることができるのである。
【００１９】
なおこのマッサージ器本体から分岐する突出部を設けて、そこにバイブレータを納めた構成とすることが可能である。またこの突出部はこのマッサージ器本体とは別の身体部位をマッサージする目的に使用し得るように構成することが可能である。
【００２０】
次に、前記指圧具にバイブレータが設けられているものとした。前記指圧具は往復運動を行なうものであるから、バイブレータは指圧具と共に往復運動を行ない得るように構成されている。
【００２１】
この発明のリニアな往復運動によるマッサージ効果を生み出す部位が、同時に局所的な振動刺激を与える部位ともなり、この部位での相乗効果を上げることができる。
【００２２】
【発明の実施の形態】
以下この発明の実施形態を図面を参照しつつ説明するが、この発明はこれ等の実施形態に限定されるものではない。
【００２３】
第１実施形態
図１の模式図を用いてこの実施形態を説明する。ケース１内にはその中央部分より下側にモータ２と電池５とが納められており、前記ケース１の底面部分にはスイッチ６が取り付けられている。モータ２と電池５とスイッチ６とは直列配線されている。また前記モータ２の出力はギヤボックス２０に接続されておりその出力は回転軸２１である。この回転軸２１には傾斜円板３が傾斜した状態で取り付けられており、この傾斜円板３の外周部に掛合突起４０によって掛合する指圧突起４が前記ケース１の壁面を上下方向にスライド自在に設けられている。すなわち指圧突起４は前記ケース１の壁面の図示しないスライド孔にはめ込まれており、指圧突起４の背面部の掛合突起４０が前記傾斜円板３の外周部に掛合されている（図２）。このような仕組みの変換機が前記ケース１内の中央部分より上側に（図示の上側に）納められている。なおこのケース１の上側の部位はソフトな素材から成り、また指圧突起４も同様にソフトな素材から成る。
【００２４】
ケース１の底面部分のスイッチ６をＯＮ状態にすると電池５から電力が供給されてモータ２が回転し、この回転運動はギヤボックス２０で減速されて、回転軸２１を回転させ傾斜円板３を回転させる。前記傾斜円板３の外周部には掛合突起４０が掛合されているが、傾斜円板３は前記回転軸２１に対して傾斜して設けられているため、掛合突起４０は前記スライド孔（図示せず）を上下に往復運動する。これによって指圧突起４が往復運動を行なうことに成る。
【００２５】
従って、前記指圧突起４が人体に接していれば、その部位で往復運動を行なってマッサージするのである。これまでの円周に沿うような方向への刺激ではなくこれとは略直角方向へのリニアな刺激、すなわち腟などの内壁を押しながら擦るような指圧刺激を与えることが出来るのである。
【００２６】
第２実施形態
図３の模式図を用いてこの実施形態を説明する。上述した第１実施形態と異なる点は、マッサージ器の全体をカバーするケース１を用いず、ケース１０は電池５とスイッチ６とモータ２とギヤボックス２０とをカバーし、ギヤボックス２０の出力軸である回転軸２２には別の柔軟な素材から成るソフトキャップ７が被せられている点、及びこのソフトキャップ７の内側にソフトキャップ７に接するようにして、指圧具である指圧コロ４１が設けられている点である。ケース１０の底面部分にはスイッチ６が取り付けられており、ケース１０の内部には電池５とモータ２とギヤボックス２０とが納められている。ケース１０の最上部分にギヤボックス２０が取り付けられている。前記モータ２の出力はギヤボックス２０に接続されておりその出力は回転軸２２であり、回転軸２２はその途中から緩やかにカーブした形状と成っている。この回転軸２２の直線部分には傾斜円板３０が傾斜した状態で取り付けられており、この傾斜円板３０の外周部に掛合突起４３によって掛合する軸受け４２が傾斜円板３０の外周近傍に設けられた円筒形状の支持筒１２に、この支持筒１２に開孔されたガイド孔１２を上下方向にスライド自在と成るように設けられている（図４を参照）。また前記軸受け４２には硬質素材から成る指圧コロ４１が回転自在に取り付けられており、この指圧コロ４１は前記ソフトキャップ７に接してソフトキャップ７を内側から外側へ押すように設けられている。なお前記ソフトキャップ７は屈曲自在な素材から成り、回転軸２２のカーブ形状に従って前記ケース１０の外周面部より外側へせり出すようにされている。
【００２７】
そこでケース１０の底面部分のスイッチ６をＯＮ状態にすると電池５から電力が供給されてモータ２が回転し、この回転運動はギヤボックス２０で減速されて回転軸２２を回転させる。すると回転軸２２はその途中から緩やかにカーブした形状と成っているために首振り運動を行ないつつ緩やかに回転し、これに従って軟質ゴム製のソフトキャップ７も首振り運動を行なう。この結果、変形動作するソフトキャップ７によって腟などの内壁に回転刺激を与えることが出来る。
【００２８】
一方前記回転軸２２が回転すると傾斜円板３０が回転する。この傾斜円板３０の外周部には前記掛合突起４３が掛合されているが、傾斜円板３０は前記回転軸２２に対して傾斜して設けられているため、掛合突起４３は前記ガイド孔１２を上下に往復運動する。これによって指圧コロ４１がソフトキャップ７の内壁面を転動しながら往復運動を行なうことに成り、ソフトキャップ７を介して腟などの内壁に押しながら擦るような指圧刺激を与えることが出来る。
【００２９】
なお、前記傾斜円板３０を回転軸２２の直線部分に傾斜した状態で取り付けるのではなく、傾斜させずとも、回転軸２２のカーブした部分に取り付けることによって、指圧コロ４１にはリニアな上下方向の往復運動を行なわせることが可能である。
【００３０】
第３実施形態
図５の模式図を用いてこの実施形態を説明する。この実施形態のマッサージ器はその主要な構成を上述の第２実施形態に倣うものであるが、前記ケース１０に沿ってケース１０から分岐した分岐ケース８を備える点に特徴がある。すなわち前記ケース１０の途中から分岐する分岐ケース８が設けられており、分岐ケース８にはモータ２３が納められており、このモータ２３の回転軸２４には偏心重錘２５が取り付けられている。また前記ケース１０の底面部分には前記スイッチ６と共にスイッチ６０が取り付けられており、このスイッチ６０と電池５とモータ２３とが直列に配線されている。
【００３１】
さて前記スイッチ６をＯＮ状態にした場合のソフトキャップ７や指圧コロ４１の動作は上述した第２実施形態のそれと同一であるが、前記スイッチ６０をＯＮ状態にした場合には前記モータ２３が回転する。このモータ２３が回転すると、このモータ２３を覆う分岐ケース８がバイブレーションを発生する。従ってこの分岐ケース８の部位は、バイブレータとしてのマッサージ器の役割を担うものである。
【００３２】
なお前記ケース１０に電池が２個収納できるようにして、一方の電池はモータ２専用の駆動源として適宜配線し、他方の電池はモータ２３専用の駆動源として適宜配線するような構成も可能である。
【００３３】
第４実施形態
図６の模式図を用いてこの実施形態を説明する。図６は指圧具部分の説明図であって、上述した第２実施形態の指圧具と異なる点は、前記指圧コロ４１を有する軸受け４２の内部にバイブレータを備えている点である。すなわち軸受け４２の内部にはモータ２６が納められており、このモータ２６の回転軸２７には偏心重錘２８が取り付けられている。なおこのモータ２６は電池とスイッチとに配線されているが、これまでの説明から明らかであるので説明を省略する。
【００３４】
このような構成によって、指圧コロ４１がソフトキャップ７の内壁面を転動しながら往復運動を行なうことに成り、ソフトキャップ７を介して腟などの内壁に押しながら擦るような指圧刺激を与えるのと同時に、前記モータ２６が回転すると、結果的に指圧コロ４１がバイブレーションを発生して、腟などの内壁に振動刺激を与えてマッサージを行なうのである。従ってこの指圧コロ４１には腟などの内壁を押しながら擦るような指圧刺激とバイブレーションとによる相乗効果を見ることが出来るのである。
【００３５】
第５実施形態
さてこれまでは回転運動をリニアな往復運動に変換する変換機として、モータの回転軸に傾斜させて取り付けた傾斜円板と、この傾斜円板の外周部に掛合突起によって掛合する指圧突起とにより、モータの回転を指圧突起の往復運動に変換する実施形態を取り上げて来た。しかしながら、回転運動をリニアな往復運動に変換する変換機はこれに限定されないため、図７及び図８を参照して次のような実施形態の変換機を説明する。
【００３６】
符号２９はモータを指し、符号２００はこのモータ２９の回転軸に取り付けられたギヤボックスを指す。このギヤボックス２００の内部構造は図示しないが、モータ２９の回転軸に取り付けられたクラウンギヤに噛合するピニオンギヤによってモータ２９の回転軸の回転方向に直角の回転運動を出力している。この出力端には円板４７が取り付けられており、この円板４７の外周部近傍に１つの掛合突起４８が突設されている。一方上下方向へ往復運動が可能なように設けられたスライド板４５にはその下方に水平方向へ向かう長方形の掛合孔４６が開孔されており、この掛合孔４６に前記掛合突起４８が掛合されている。またスライド板４５にはその上方外側面部に指圧突起４４が突設されている。
【００３７】
そこでモータ２９をＯＮ状態にすると前記円板４７が回転して、前記掛合突起４８も回転運動を行なうが、この掛合突起４８はスライド板４５の掛合孔４６に掛合されているため、見掛け上は掛合突起４８は掛合孔４６内を往復運動しているように動作し、スライド板４５に上下方向の運動を与えるために、スライド板４５が上下方向へ往復運動することに成る。
【００３８】
従って、前記スライド板４５から突出する前記指圧突起４４も上下方向へ往復運動を行なうことに成る。この指圧突起４４が人体に接していれば、その部位で往復運動を行なってマッサージするのである。これまでの円周に沿うような方向への刺激ではなくこれとは略直角方向へのリニアな刺激、すなわち腟などの内壁を押しながら擦るような指圧刺激を与えることが出来る。
【００３９】
なおこの発明は上述した実施形態に限定されないから、指圧具の素材や形状や大きさなどは任意であり、また変換機にはどのようなものを用いようとも自由である。また例えば上述した傾斜円板３０の外周部の２ヵ所、３ヵ所に、掛合突起４３によって掛合する支持筒１２すなわち指圧コロ４１を取り付けるようにすることも可能である。電源には電池の他に、家庭用電源から電力を得るための電源アダプターなどを利用してもよい。また人体に接触する部位の素材なども任意に選択出来るものである。
【００４０】
【発明の効果】
以上この発明は、モータの回転軸に、回転運動をリニアな往復運動に変換する変換機が取り付けられ、この変換機の出力部分に指圧具が設けられていることを特徴とする、スライド式指圧部を備えたマッサージ器としたものである。モータの回転は前記変換機によって往復運動に変換され、前記指圧具が往復運動を行なうように成っている。
【００４１】
この結果、円周に沿うような方向への刺激だけでなく、これとは略直角方向へのリニアな刺激、すなわち腟などの内壁を押しながら擦るような指圧刺激を与えることが出来ると言う効果を奏して、所期目的を達成している。
【図面の簡単な説明】
【図１】第１実施形態の模式図である。
【図２】同実施形態の変換機部分の説明図である。
【図３】第２実施形態の模式図である。
【図４】同実施形態の変換機部分の説明図である。
【図５】第３実施形態の模式図である。
【図６】第４実施形態の指圧具部分の説明図である。
【図７】第５実施形態の変換機部分の説明図である。
【図８】同実施形態の動作状態説明図である。
【符号の説明】
１    ケース
１０  ケース
１１  支持筒
１２  ガイド孔
２    モータ
２０  ギヤボックス
２１  回転軸
２２  回転軸
２３  モータ
２４  回転軸
２５  偏心重錘
２６  モータ
２７  回転軸
２８  偏心重錘
２９  モータ
２００  ギヤボックス
３    傾斜円板
３０  傾斜円板
４    指圧突起
４０  掛合突起
４１  指圧コロ
４２  軸受け
４３  掛合突起
４４  指圧突起
４５  スライド板
４６  掛合孔
４７  円板
４８  掛合突起
５    電池
６    スイッチ
６０  スイッチ
７    ソフトキャップ
８    分岐ケース
【図１】
2004313689.tif 000003
【図２】
2004313689.tif 000004
【図３】
2004313689.tif 000005
【図４】
2004313689.tif 000006
【図５】
2004313689.tif 000007
【図６】
2004313689.tif 000008
【図７】
2004313689.tif 000009
【図８】
2004313689.tif 000010